(57)【要約】【課題】効率的かつ簡易にユーザ共通データを伝送する。【解決手段】ユーザ共通データ伝送装置１０１は、複数の無線基地局１０２が複数の移動局ＵＥに対してユーザ共通データを送信するタイミングを指定するための送信タイミング情報を算出する送信タイミング情報算出部２０４と、複数の無線基地局１０２に対して送信タイミング情報を通知する通知部２０７とを具備し、無線基地局１０２は、ユーザ共通データ伝送装置１０１から指定された送信タイミング情報に基づいて、ユーザ共通データを複数の移動局ＵＥに対して送信するように構成されている。【選択図】  図４
2008219823.tif 000002
【特許請求の範囲】
【請求項１】
ユーザ共通データ伝送装置と前記ユーザ共通データ伝送装置に接続された複数の無線基地局とを具備し、該ユーザ共通データ伝送装置が該複数の無線基地局を経由して複数の移動局に対してユーザ共通データを伝送する移動通信システムであって、
前記ユーザ共通データ伝送装置は、
前記複数の無線基地局が前記複数の移動局に対して前記ユーザ共通データを送信するタイミングを指定するための送信タイミング情報を算出する送信タイミング情報算出部と、
前記複数の無線基地局に対して前記送信タイミング情報を通知する通知部とを具備し、
前記無線基地局は、前記ユーザ共通データ伝送装置から指定された前記送信タイミング情報に基づいて、前記ユーザ共通データを前記複数の移動局に対して送信するように構成されていることを特徴とする移動通信システム。
【請求項２】
前記送信タイミング情報算出部は、一定間隔で繰り返されるスケジューリング用フレームを管理しており、
前記送信タイミング情報は、特定のスケジューリング用フレームの開始タイミングを指定するタイムスタンプ情報と、該特定のスケジューリング用フレーム内での位置を指定するフレーム内位置情報とによって構成されていることを特徴とする請求項１に記載の移動通信システム。
【請求項３】
前記送信タイミング情報算出部は、前記無線基地局と前記移動局との間で送信され複数のサブフレームにより構成される無線フレームにおいてユーザ共通データの伝送用に割り当てられているサブフレーム数と、前記無線フレームを構成する１つのサブフレーム内で伝送可能なデータ量と、上位ノードから送信されたユーザ共通データの前記ユーザ共通データ伝送装置への到着時刻と、該ユーザ共通データ伝送装置と前記無線基地局との間の伝送路での伝送遅延時間とを用いて、前記送信タイミング情報を算出するように構成されていることを特徴とする請求項１又は２に記載の移動通信システム。
【請求項４】
前記ユーザ共通データは、カプセル化プロトコルによって規定されているパケットによって、前記ユーザ共通データ伝送装置から前記無線基地局に対して伝送されるように構成されており、
前記ユーザ共通データ伝送装置は、前記パケットのヘッダに、前記送信タイミング情報を挿入する付与部を具備することを特徴とする請求項１乃至３のいずれか一項に記載の移動通信システム。
【請求項５】
前記無線基地局は、
前記タイムスタンプ情報によって指定されているスケジューリング用フレームの開始タイミングに基づいて、前記ユーザ共通データを送信すべき無線フレームの送信開始タイミングを決定し、前記フレーム内位置情報によって指定されている該特定のスケジューリング用フレーム内での位置に基づいて、前記ユーザ共通データを送信すべき前記無線フレーム内でのサブフレームを決定する決定部を具備することを特徴とする請求項２に記載の移動通信システム。
【請求項６】
複数の無線基地局を経由して複数の移動局に対してユーザ共通データを伝送するユーザ共通データ伝送装置であって、
前記複数の無線基地局が前記複数の移動局に対して前記ユーザ共通データを送信するタイミングを指定するための送信タイミング情報を算出する送信タイミング情報算出部と、
前記複数の無線基地局に対して前記送信タイミング情報を通知する通知部とを具備し、
前記送信タイミング情報算出部は、一定間隔で繰り返されるスケジューリング用フレームを管理しており、
前記送信タイミング情報は、特定のスケジューリング用フレームの開始タイミングを指定するタイムスタンプ情報と、該特定のスケジューリング用フレーム内での位置を指定するフレーム内位置情報とによって構成されていることを特徴とするユーザ共通データ伝送装置。
【請求項７】
ユーザ共通データ伝送装置から伝送されたユーザ共通データを複数の移動局に対して伝送する無線基地局であって、
前記無線基地局は、前記ユーザ共通データ伝送装置から指定された送信タイミング情報に基づいて、前記ユーザ共通データを前記複数の移動局に対して送信するように構成されており、
前記送信タイミング情報は、特定のスケジューリング用フレームの開始タイミングを指定するタイムスタンプ情報と、該特定のスケジューリング用フレーム内での位置を指定するフレーム内位置情報とによって構成されており、
前記無線基地局は、前記タイムスタンプ情報によって指定されているスケジューリング用フレームの開始タイミングに基づいて、前記ユーザ共通データを送信すべき無線フレームの送信開始タイミングを決定し、前記フレーム内位置情報によって指定されている該特定のスケジューリング用フレーム内での位置に基づいて、前記ユーザ共通データを送信すべき前記無線フレーム内でのサブフレームを決定するように構成されていることを特徴とする無線基地局。
【発明の詳細な説明】
【技術分野】
【０００１】
本発明は、ユーザ共通データ伝送装置から複数の基地局を経由して複数の移動局に対してユーザ共通データを伝送する移動通信システム、ユーザ共通データ伝送装置及び無線基地局に関する。
【背景技術】
【０００２】
現在、３ＧＰＰ  Ｒｅｌ.８で議論されているＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）伝送方法では、ＭＢＭＳデータを伝送することができる複数の無線基地局（以下、ｅＮＢ）によって同一周波数ネットワーク（ＳＦＮ：Ｓｉｎｇｌｅ  Ｆｒｅｑｕｅｎｃｙ  Ｎｅｔｗｏｒｋ）エリアを成立することが可能であり、あるＳＦＮエリアに登録されている複数のｅＮＢから同一タイミングで該当サービスに対する同一のＭＢＭＳデータが送信される。
【０００３】
複数のｅＮＢから同一タイミングで同一のＭＢＭＳデータを送信するために、当該複数のｅＮＢ及びＭＢＭＳデータの伝送を制御する上位ノードであるユーザ共通データ伝送装置（以下、ＭＢＭＳ-ＧＷ）が連動して動作する必要がある。
【０００４】
現在の３ＧＰＰ  Ｒｅｌ.８では、あるＳＦＮエリアに登録される全てのｅＮＢが、ＧＰＳ等によってお互いに同期しており、ＭＢＭＳ-ＧＷが、各ｅＮＢに対して送信タイミング情報として絶対時間或いは各ｅＮＢにおけるシステムフレームナンバ（ＳＦＮ）相当の情報を通知し、各ｅＮＢは、通知された送信タイミング情報に従って無線インタフェースを介してＭＢＭＳデータを送信するように構成されている。
【非特許文献１】３ＧＰＰ  ＴＲ  Ｒ３.０１８  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  ＵＴＲＡ  ａｎｄ  ＵＴＲＡＮ；  Ｒａｄｉｏ  Ａｃｃｅｓｓ  Ａｒｃｈｉｔｅｃｔｕｒｅ  ａｎｄ  Ｉｎｔｅｒｆａｃｅ
【発明の開示】
【発明が解決しようとする課題】
【０００５】
現在の３ＧＰＰ  Ｒｅｌ.８では、ＭＢＭＳデータとユニキャストデータと共通制御チャネル（例えば、ＳＣＨやＢＣＨ等）用制御データとを、同一の無線チャネル上で時分割多重して送信することが検討されている。
【０００６】
このよう無線チャネルの構成では、ＭＢＭＳ-ＧＷが、各ｅＮＢに対して送信タイミング情報として絶対時間のみを指定した場合、各ｅＮＢが、無線チャネル上でスケジューリングを行う際、かかる絶対時間と、各ｅＮＢのスケジューラにおいてＭＢＭＳデータを伝送可能なタイミングとが不一致となってしまう場合があるという課題があった。
【０００７】
また、１つのＭＢＭＳデータが、ＭＢＭＳ-ＧＷと特定のｅＮＢとの間の有線伝送路で欠落した場合、ｅＮＢ間でバッファされているＭＢＭＳデータに違いが生じる可能性がある。
【０００８】
かかる場合、上述の絶対時間のみを指定しているケースでは、複数のｅＮＢから同一タイミングで同一ＭＢＭＳデータを送信できなくなり、受信側（移動局）では、複数のＭＢＭＳデータを合成できなくなるという課題があった。
【０００９】
一方、ＭＢＭＳ-ＧＷが、ＳＦＮ（Ｓｙｓｔｅｍ  Ｆｒａｍｅ  Ｎｕｍｂｅｒ）相当の送信タイミング情報を指定する場合には、当該ＭＢＭＳ-ＧＷは、無線チャネルの構成や無線チャネルにおける絶対的なＭＢＭＳデータの割り当てタイミングを意識する必要があるという課題があった。
【００１０】
そこで、本発明は、上述の課題に鑑みてなされたものであり、上述のような同一無線チャネル上でＭＢＭＳデータだけでは無く共通制御チャネル用制御データ等も伝送する場合の制限を考慮しつつ、有線伝送路上でのＭＢＭＳデータの欠落をも考慮して、ユーザ共通データ伝送装置（ＭＢＭＳ-ＧＷ）に、無線上の絶対的なＭＢＭＳデータの割り当てタイミングを意識させることなく、ある単位のスケジューリング用フレーム（時間間隔）とその中での位置という情報を算出してｅＮＢに通知し、無線基地局（ｅＮＢ）が、当該情報に基づいて無線チャネル上のスケジューリングを行うことで、効率的かつ簡易にユーザ共通データを伝送することができる移動通信システム、ユーザ共通データ伝送装置及び無線基地局を提供することを目的としている。
【課題を解決するための手段】
【００１１】
本発明の第１の特徴は、ユーザ共通データ伝送装置と前記ユーザ共通データ伝送装置に接続された複数の無線基地局とを具備し、該ユーザ共通データ伝送装置が該複数の無線基地局を経由して複数の移動局に対してユーザ共通データを伝送する移動通信システムであって、前記ユーザ共通データ伝送装置は、前記複数の無線基地局が前記複数の移動局に対して前記ユーザ共通データを送信するタイミングを指定するための送信タイミング情報を算出する送信タイミング情報算出部と、前記複数の無線基地局に対して前記送信タイミング情報を通知する通知部とを具備し、前記無線基地局は、前記ユーザ共通データ伝送装置から指定された前記送信タイミング情報に基づいて、前記ユーザ共通データを前記複数の移動局に対して送信するように構成されていることを要旨とする。
【００１２】
本発明の第１の特徴において、前記送信タイミング情報算出部は、一定間隔で繰り返されるスケジューリング用フレームを管理しており、前記送信タイミング情報は、特定のスケジューリング用フレームの開始タイミングを指定するタイムスタンプ情報と、該特定のスケジューリング用フレーム内での位置を指定するフレーム内位置情報とによって構成されていてもよい。
【００１３】
本発明の第１の特徴において、前記送信タイミング情報算出部は、前記無線基地局と前記移動局との間で送信され複数のサブフレームにより構成される無線フレームにおいてユーザ共通データの伝送用に割り当てられているサブフレーム数と、前記無線フレームを構成する１つのサブフレーム内で伝送可能なデータ量と、上位ノードから送信されたユーザ共通データの前記ユーザ共通データ伝送装置への到着時刻と、該ユーザ共通データ伝送装置と前記無線基地局との間の伝送路での伝送遅延時間とを用いて、前記送信タイミング情報を算出するように構成されていてもよい
本発明の第１の特徴において、前記ユーザ共通データは、カプセル化プロトコルによって規定されているパケットによって、前記ユーザ共通データ伝送装置から前記無線基地局に対して伝送されるように構成されており、前記ユーザ共通データ伝送装置は、前記パケットのヘッダに、前記送信タイミング情報を挿入する付与部を具備してもよい。
【００１４】
本発明の第１の特徴において、前記無線基地局は、前記タイムスタンプ情報によって指定されているスケジューリング用フレームの開始タイミングに基づいて、前記ユーザ共通データを送信すべき無線フレームの送信開始タイミングを決定し、前記フレーム内位置情報によって指定されている該特定のスケジューリング用フレーム内での位置に基づいて、前記ユーザ共通データを送信すべき前記無線フレーム内でのサブフレームを決定する決定部を具備してもよい。
【００１５】
本発明の第２の特徴は、複数の無線基地局を経由して複数の移動局に対してユーザ共通データを伝送するユーザ共通データ伝送装置であって、前記複数の無線基地局が前記複数の移動局に対して前記ユーザ共通データを送信するタイミングを指定するための送信タイミング情報を算出する送信タイミング情報算出部と、前記複数の無線基地局に対して前記送信タイミング情報を通知する通知部とを具備し、前記送信タイミング情報算出部は、一定間隔で繰り返されるスケジューリング用フレームを管理しており、前記送信タイミング情報は、特定のスケジューリング用フレームの開始タイミングを指定するタイムスタンプ情報と、該特定のスケジューリング用フレーム内での位置を指定するフレーム内位置情報とによって構成されていることを要旨とする。
【００１６】
本発明の第３の特徴は、ユーザ共通データ伝送装置から伝送されたユーザ共通データを複数の移動局に対して伝送する無線基地局であって、前記無線基地局は、前記ユーザ共通データ伝送装置から指定された送信タイミング情報に基づいて、前記ユーザ共通データを前記複数の移動局に対して送信するように構成されており、前記送信タイミング情報は、特定のスケジューリング用フレームの開始タイミングを指定するタイムスタンプ情報と、該特定のスケジューリング用フレーム内での位置を指定するフレーム内位置情報とによって構成されており、前記無線基地局は、前記タイムスタンプ情報によって指定されているスケジューリング用フレームの開始タイミングに基づいて、前記ユーザ共通データを送信すべき無線フレームの送信開始タイミングを決定し、前記フレーム内位置情報によって指定されている該特定のスケジューリング用フレーム内での位置に基づいて、前記ユーザ共通データを送信すべき前記無線フレーム内でのサブフレームを決定するように構成されていることを要旨とする。
【発明の効果】
【００１７】
以上説明したように、本発明によれば、上述のような同一無線チャネル上でＭＢＭＳデータだけでは無く共通制御チャネル用制御データ等も伝送する場合の制限を考慮しつつ、有線伝送路上でのＭＢＭＳデータの欠落をも考慮して、ユーザ共通データ伝送装置（ＭＢＭＳ-ＧＷ）に、無線上の絶対的なＭＢＭＳデータの割り当てタイミングを意識させることなく、ある単位のスケジューリング用フレーム（時間間隔）とその中での位置という情報を算出してｅＮＢに通知し、無線基地局（ｅＮＢ）が、当該情報に基づいて無線チャネル上のスケジューリングを行うことで、効率的かつ簡易にユーザ共通データを伝送することができる移動通信システム、ユーザ共通データ伝送装置及び無線基地局を提供することができる。
【発明を実施するための最良の形態】
【００１８】
（本発明の第１の実施形態に係る移動通信システム）
図１乃至図３を参照して、本発明の第１の実施形態に係る移動通信システムの構成について説明する。
【００１９】
本実施形態に係る移動通信システムは、ＭＢＭＳ-ＧＷ（１０１）が複数のｅＮＢ（１０２）を経由して複数の移動局ＵＥに対してＭＢＭＳデータ（ユーザ共通データ）を伝送することによって、ＭＢＭＳサービスを提供するように構成されている。
【００２０】
具体的には、本実施形態に係る移動通信システムでは、ＭＢＭＳ-ＧＷが、複数のｅＮＢから同一タイミングで同一ＭＢＭＳデータを送信するために必要な送信タイミング情報（「Ｔｉｍｅｓｔａｍｐ」及び「Ｓｕｂ_ｆｒａｍｅ  ｐｏｓｉｔｉｏｎ」）を指定することによって、ｅＮＢにおけるＭＢＭＳデータの送信タイミングについてのスケジュールが実現されるように構成されている。
【００２１】
本実施形態では、一例として、ＬＴＥ（Ｌｏｎｇ  Ｔｅｒｍ  Ｅｖｏｌｕｔｉｏｎ）/ＳＡＥ（Ｓｙｓｔｅｍ  Ａｒｃｈｉｔｅｃｔｕｒｅ  Ｅｖｏｌｕｔｉｏｎ）で議論されているアーキテクチャを採り上げて説明する。なお、本発明に係る移動通信システムのアーキテクチャは、ＬＴＥ/ＳＡＥに限定されるものではなく、これ以外のアーキテクチャであっても良い。
【００２２】
ＭＢＭＳ-ＧＷ（１０１）は、ＭＢＭＳデータを伝送するように構成されているユーザ共通データ伝送装置であり、当該ＭＢＭＳ-ＧＷ配下に接続された複数のｅＮＢに対してＭＢＭＳデータを伝送する機能と、各ＭＢＭＳデータに関する送信タイミング情報（「Ｔｉｍｅｓｔａｍｐ」及び「Ｓｕｂ_ｆｒａｍｅ  ｐｏｓｉｔｉｏｎ」）を算出する算出機能と、該当するＭＢＭＳデータのＧＴＰ（ＧＰＲＳ  Ｔｕｎｎｅｌｉｎｇ  Ｐｒｏｔｏｃｏｌ）-Ｕ用ヘッダに対して当該送信タイミング情報を付与する機能とを有する。
【００２３】
ｅＮＢ（１０２）は、無線基地局であり、ＭＢＭＳ-ＧＷ（１０１）から指定された送信タイミング情報を用いて、ＭＢＭＳデータを送信すべき無線フレームの送信開始タイミング、及び、当該ＭＢＭＳデータを送信すべき当該無線フレーム内のサブフレームを決定する機能を有する。
【００２４】
すなわち、ｅＮＢ（１０２）は、ＭＢＭＳ-ＧＷから指定された送信タイミング情報に基づいて、ＭＢＭＳを複数の移動局ＵＥに対して送信するように構成されている。
【００２５】
図２に示すように、本実施形態に係るＭＢＭＳ-ＧＷ（１０１）は、絶対時刻参照部２０１と、パラメータ参照部２０２と、ＭＢＭＳデータ到着時刻参照部２０３と、送信タイミング情報算出部２０４と、ＧＴＰ-Ｕヘッダ付与部２０７とを具備している。
【００２６】
絶対時刻参照部２０１は、送信タイミング情報としての「Ｔｉｍｅｓｔａｍｐ」を算出するためのリファレンス時刻（絶対時刻）を提供する機能を有する。
【００２７】
パラメータ参照部２０２は、送信タイミング情報を算出するために必要なパラメータ、例えば、無線フレームサイズや、ＭＢＭＳデータ伝送用に割り当てられているサブフレーム数や、ｅＮＢ（１０２）とＭＢＭＳ-ＧＷ（１０１）との間の伝送遅延時間を考慮した固定的な遅延等を提供する機能を有する。
【００２８】
ＭＢＭＳデータ到着時刻参照部２０３は、各ＭＢＭＳデータ（ＩＰパケット）の到着時刻を記憶して、送信タイミング算出部２０４に対して提供する機能を有する。
【００２９】
送信タイミング情報算出部２０４は、複数のｅＮＢ（１０２）が複数の移動局ＵＥに対してＭＢＭＳデータを送信するタイミングを指定するための送信タイミング情報を算出するように構成されている。
【００３０】
具体的には、送信タイミング情報算出部２０４は、Ｔｉｍｅｓｔａｍｐ算出部２０５と、Ｓｕｂ_ｆｒａｍｅ  ｐｏｓｉｔｉｏｎ算出部２０６とを具備している。
【００３１】
Ｔｉｍｅｓｔａｍｐ算出部２０５は、絶対時刻参照部２０１とパラメータ参照部２０２とＭＢＭＳデータ到着時刻参照部２０３とからの情報を用いて、「Ｔｉｍｅｓｔａｍｐ」を算出する機能を有する。
【００３２】
ここで、「Ｔｉｍｅｓｔａｍｐ」は、該当するＭＢＭＳデータが送信されるべき特定のスケジューリング用フレームの開始タイミングを指定するタイムスタンプ情報である。なお、送信タイミング情報算出部２０４は、一定間隔で繰り返されるスケジューリング用フレームを管理している。
【００３３】
Ｓｕｂ_ｆｒａｍｅ  ｐｏｓｉｔｉｏｎ算出部２０６は、絶対時刻参照部２０１とパラメータ参照部２０２とＭＢＭＳデータ到着時刻参照部２０３とＴｉｍｅｓｔａｍｐ算出部２０５とからの情報を用いて、該当するＭＢＭＳデータが無線フレーム内のどのサブフレームによって送信されるべきかについて示す「Ｓｕｂ_ｆｒａｍｅ  ｐｏｓｉｔｉｏｎ」を算出する機能を有する。
【００３４】
例えば、送信タイミング情報算出部２０４は、ｅＮＢ（１０２）と複数の移動局ＵＥとの間で送信される無線フレームにおいてユーザ共通データの伝送用に割り当てられているサブフレーム数（Ｎｓｕｂ_ｆｒａｍｅ）と、当該無線フレームを構成する１つのサブフレーム内で伝送可能なデータ量（ＴＢＳ：Ｔｒａｎｓｐｏｒｔ  Ｂｌｏｃｋ  Ｓｉｚｅ）と、上位ノードから送信されたＭＢＭＳデータのＭＢＭＳ-ＧＷへの到着時刻（Ｔｘ（ｒｘ））と、ＭＢＭＳ-ＧＷとｅＮＢとの間の伝送路での伝送遅延時間（Ｔｄｅｌａｙ）とを用いて、かかる送信タイミング情報（「Ｔｉｍｅｓｔａｍｐ」及び「Ｓｕｂ_ｆｒａｍｅ  ｐｏｓｉｔｉｏｎ」）を算出するように構成されていてもよい。
【００３５】
ＧＴＰ-Ｕヘッダ付与部２０７は、ｅＮＢ（１０２）に対して送信タイミング情報を通知することができるように、算出した「Ｔｉｍｅｓｔａｍｐ」及び「Ｓｕｂ_ｆｒａｍｅ  ｐｏｓｉｔｉｏｎ」をＧＴＰ-Ｕヘッダに挿入する機能を有する。
【００３６】
なお、ＭＢＭＳデータは、ＧＴＰ-Ｕ（カプセル化プロトコル）によって規定されているパケットによって、ＭＢＭＳ-ＧＷからｅＮＢに対して伝送されるように構成されている。
【００３７】
図３に示すように、本実施形態に係るｅＮＢは、送信タイミング情報取り出し部３０１と、決定部３０２とを具備する。
【００３８】
送信タイミング情報取り出し部３０１は、該当するＭＢＭＳデータのＧＴＰ-Ｕヘッダから、送信タイミング情報である「Ｔｉｍｅｓｔａｍｐ」及び「Ｓｕｂ_ｆｒａｍｅ  ｐｏｓｉｔｉｏｎ」を取り出す機能を有する。
【００３９】
決定部３０２は、「Ｔｉｍｅｓｔａｍｐ（タイムスタンプ情報）」によって指定されているスケジューリング用フレームの開始タイミングに基づいて、ＭＢＭＳデータを送信すべき無線フレームの送信開始タイミングを決定し、「Ｓｕｂ_ｆｒａｍｅ  ｐｏｓｉｔｉｏｎ（フレーム内位置情報）」によって指定されている当該特定のスケジューリング用フレーム内での位置に基づいて、当該ＭＢＭＳデータを送信すべき無線フレーム内でのサブフレームを決定するように構成されている。
【００４０】
具体的には、決定部３０２は、無線フレームの送信開始タイミング算出部３０３と、無線フレーム内のＳｕｂ_ｆｒａｍｅ  ｐｏｓｉｔｉｏｎ参照部３０４とを具備する。
【００４１】
無線フレームの送信開始タイミング算出部３０３は、送信タイミング情報取り出し部３０１からの「Ｔｉｍｅｓｔａｍｐ」で示すＭＢＭＳデータ伝送用の無線フレームの送信開始タイミングを、無線チャネル上で、当該無線フレームの送信開始タイミング後で最も送信開始が早い無線フレームの先頭タイミングに読み替える機能を有する。
【００４２】
無線フレーム内のＳｕｂ_ｆｒａｍｅ  ｐｏｓｉｔｉｏｎ参照部３０４は、送信タイミング情報取り出し部３０１からの「Ｓｕｂ_ｆｒａｍｅ  ｐｏｓｉｔｉｏｎ」に基づき、無線フレームの送信開始タイミング算出部３０３で決定されるＭＢＭＳデータを送信すべき無線チャネル内のサブフレーム位置を特定する機能を有する。（本発明の第１の実施形態に係る移動通信システムの動作）
図４及び図５を参照して、本発明の第１の実施形態に係る移動通信システムの動作について説明する。
【００４３】
第１に、図４を参照して、本実施形態に係るＭＢＭＳ-ＧＷ（１０１）が、ＭＢＭＳデータの送信タイミング情報を算出する動作について説明する。
【００４４】
ステップ１において、ＭＢＭＳ-ＧＷ（１０１）は、送信タイミング情報を算出するためのパラメータを設定する。例えば、ＭＢＭＳ-ＧＷ（１０１）は、起動時に、システムパラメータとして、送信タイミング情報を算出するためのパラメータを読み込む。
【００４５】
また、ＭＢＭＳ-ＧＷ（１０１）は、送信タイミング情報を算出するためのパラメータとして、例えば、無線フレームサイズ（ＴＢＳ）や、ＭＢＭＳデータ伝送用に割り当てられるサブフレーム数（Ｎｓｕｂ＿ｆｒａｍｅ）や、ｅＮＢ（１０２）とＭＢＭＳ-ＧＷ（１０１）との間の伝送遅延時間（Ｔｄｅｌａｙ）や、ＭＢＭＳデータの送信間隔（ＭＴＩ）等を設定する。
【００４６】
ステップ２において、ＭＢＭＳ-ＧＷ（１０１）は、当該ＭＢＭＳ-ＧＷ（１０１）におけるＭＢＭＳデータｘ（ｘ番目のＭＢＭＳデータ）の上位ノードからの到着時刻（Ｔｘ（ｒｘ））を読み込む。
【００４７】
ステップ３において、ＭＢＭＳ-ＧＷ（１０１）は、ＭＢＭＳデータｘ-１（ｘ-１番目のＭＢＭＳデータ）の送信完了タイミング（Ｌ_ｔｉｍｅｘ-１）と、ＭＢＭＳデータｘの到着時刻（Ｔｘ（ｒｘ））と上述の伝送遅延時間（Ｔｄｅｌａｙ）とを加えた値とを比較する。
【００４８】
ＭＢＭＳデータｘ-１の送信完了タイミングが、ＭＢＭＳデータｘの到着時刻（Ｔｘ（ｒｘ））と上述の伝送遅延時間（Ｔｄｅｌａｙ）とを加えた時刻よりも早い場合、ＭＢＭＳ-ＧＷ（１０１）は、ステップ４に示す式に基づいて、「Ｔｉｍｅｓｔａｍｐ」及び「Ｓｕｂ_ｆｒａｍｅ  ｐｏｓｉｔｉｏｎ」を更新する。
【００４９】
すなわち、ステップ４では、ＭＢＭＳ-ＧＷ（１０１）は、ＭＢＭＳデータｘの「Ｔｉｍｅｓｔａｍｐ」として、ＭＢＭＳデータｘの到着時刻（Ｔｘ（ｒｘ））と上述の伝送遅延時間（Ｔｄｅｌａｙ）とに基づいて、新規の「Ｔｉｍｅｓｔａｍｐ」を算出し、ＭＢＭＳデータｘの「Ｓｕｂ_ｆｒａｍｅ  ｐｏｓｉｔｉｏｎ」として、「Ｓｕｂ_ｆｒａｍｅｘ＝０」を指定する。
【００５０】
一方、ＭＢＭＳデータｘ-１の送信完了タイミングが、ＭＢＭＳデータｘの到着時刻（Ｔｘ（ｒｘ））と上述の伝送遅延時間（Ｔｄｅｌａｙ）とを加えた時刻よりも遅い場合、ステップ５において、ＭＢＭＳ-ＧＷ（１０１）は、ＭＢＭＳデータｘの「Ｔｉｍｅｓｔａｍｐ」を、ＭＢＭＳデータｘ-１の送信完了タイミング（Ｌ_ｔｉｍｅｘ-１）とし、ＭＢＭＳデータｘの「Ｓｕｂ_ｆｒａｍｅ  ｐｏｓｉｔｉｏｎ」を、ＭＢＭＳデータｘを送信する（Ｌ_ｔｉｍｅｘ-１）で指定した無線フレーム内の「Ｓｕｂ_ｆｒａｍｅ  ｐｏｓｉｔｉｏｎ」とする。
【００５１】
ステップ６において、ＭＢＭＳ-ＧＷ（１０１）は、「Ｔｉｍｅｓｔａｍｐ」及び「Ｓｕｂ_ｆｒａｍｅ  ｐｏｓｉｔｉｏｎ」を算出した後、ＭＢＭＳデータｘを送信するための送信完了タイミング（Ｌ_ｔｉｍｅ）及び送信完了サブフレーム位置（Ｌ_Ｓｕｂ_ｆｒａｍｅ）を計算する。
【００５２】
ステップ７において、ＭＢＭＳ-ＧＷ（１０１）は、ＭＢＭＳデータ用のベアラが設定されているか否かについて判断し、かかるベアラが設定されている期間、上述のステップ１乃至６は、繰り返し実行される。
【００５３】
第２に、図５を参照して、本実施形態に係るｅＮＢ（１０２）が、ＭＢＭＳ-ＧＷから通知された送信タイミング情報に基づいて、ＭＢＭＳデータを送信する動作について説明する。
【００５４】
ステップ１において、ｅＮＢ（１０２）は、ＭＢＭＳ-ＧＷ（１０１）から伝送されたＭＢＭＳデータｘに付与されている「Ｔｉｍｅｓｔａｍｐ」及び「Ｓｕｂ_ｆｒａｍｅ  ｐｏｓｉｔｉｏｎ」を保存する（例えば、ＰＤＣＰやＲＬＣ）。
【００５５】
ステップ２において、ｅＮＢ（１０２）は、ＭＢＭＳデータｘを送信すべき無線チャネル上の無線フレームの送信開始タイミングを、ステップ１で保持したＭＢＭＳデータｘの「Ｔｉｍｅｓｔａｍｐ」より後で最も送信開始の早い無線フレームの送信開始タイミングと決定する。
【００５６】
例えば、図６に示すように、ＭＢＭＳ-ＧＷ（１０１）によって、ＭＢＭＳデータｘの「Ｔｉｍｅｓｔａｍｐ」として「Ｔｉｍｅｓｔａｍｐ＃１」が指定されている場合、ｅＮＢ（１０２）は、ＭＢＭＳデータｘを送信すべき無線フレームとして、ＭＢＭＳデータ伝送用の無線フレーム＃Ｙを指定する。なお、かかる無線チャネル上には、ＭＢＭＳデータ以外に、共通制御チャネル用制御データ等も時間多重されているものとする。
【００５７】
ステップ３において、ｅＮＢ（１０２）は、ＭＢＭＳデータｘを送信すべきサブフレームとして、ステップ１において読み込んだ「Ｓｕｂ_ｆｒａｍｅ  ｐｏｓｉｔｉｏｎ」に基づいて、ステップ２で決定した無線フレーム内におけるサブフレームの中から、「Ｓｕｂ_ｆｒａｍｅ  ｐｏｓｉｔｉｏｎ」によって指定されている位置のサブフレームを指定する。
【００５８】
ステップ４において、ｅＮＢ（１０２）は、ＭＢＭＳデータ用のバッファにおいて送信すべきＭＢＭＳデータが存在するか否かについて判定し、存在する場合、ステップ１乃至３までを繰り返し行う。
【００５９】
（本発明の第１の実施形態に係る移動通信システムの作用・効果）
本実施形態に係る移動通信システムによれば、ＭＢＭＳ-ＧＷ（１０１）が、ｅＮＢ（１０２）における詳細な無線チャネル上の構成を知る必要が無く、送信タイミング情報（「Ｔｉｍｅｓｔａｍｐ」及びと「Ｓｕｂ_ｆｒａｍｅ  ｐｏｓｉｔｉｏｎ」）を算出することができ、また、ｅＮＢ（１０２）が、かかる送信タイミング情報に基づいてＭＢＭＳデータ伝送用の無線フレームの送信開始タイミングやサブフレーム位置を決定することができるので、ＭＢＭＳデータ伝送を、簡易かつ効率良く高信頼で実現することができる。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６１】
【図１】本発明の第１の実施形態に係る移動通信システムの全体構成図である。
【図２】本発明の第１の実施形態に係るＭＢＭＳ-ＧＷの機能ブロック図である。
【図３】本発明の第１の実施形態に係るｅＮＢの機能ブロック図である。
【図４】本発明の第１の実施形態に係るＭＢＭＳ-ＧＷの動作を示すフローチャートである。
【図５】本発明の第１の実施形態に係るｅＮＢの動作を示すフローチャートである。
【図６】本発明の第１の実施形態に係る移動通信システムで用いられるスケジューリング用フレームと無線フレームとの関係を示す図である。
【符号の説明】
【００６２】
１０１…ＭＢＭＳ-ＧＷ
２０１…絶対時刻参照部
２０２…パラメータ参照部
２０３…ＭＢＭＳデータ到着時刻参照部
２０４…送信タイミング情報算出部
２０５…Ｔｉｍｅｓｔａｍｐ算出部
２０６…Ｓｕｂ_ｆｒａｍｅ  ｐｏｓｉｔｉｏｎ算出部
２０７…ＧＴＰ-Ｕヘッダ付与部
１０２…ｅＮＢ
３０１…送信タイミング情報取り出し部
３０２…決定部
３０３…無線フレームの送信開始タイミング算出部
３０４…無線フレーム内のＳｕｂ_ｆｒａｍｅ  ｐｏｓｉｔｉｏｎ参照部
【図１】
2008219823.tif 000003
【図２】
2008219823.tif 000004
【図３】
2008219823.tif 000005
【図４】
2008219823.tif 000006
【図５】
2008219823.tif 000007
【図６】
2008219823.tif 000008